(57)【特許請求の範囲】
【請求項１】
表生地の裏側に設けた線状発熱体と、前記表生地と裏生地との間に配置した空気層と、この空気層に高濃度酸素空気を送給して前記表生地の表面から高濃度酸素空気を吐出する高濃度酸素発生装置と、高濃度酸素空気の供給系内の空気圧又は空気の吐出量を検知する検知手段とを具備し、前記検知手段の検知結果にもとづき表生地上の人の存在・不在を判断し、線状発熱体への通電を制御するようにした電気カーペット。
【請求項２】
空気層をスポンジ状材料で構成した請求項１記載の電気カーペット。
【発明の詳細な説明】
【０００１】
【発明の属する技術分野】
本発明は、高濃度酸素を吐出する電気カーペットに関するものである。
【０００２】
【従来の技術】
従来の電気カーペットは図７に示すようにコード状の線状発熱体３１を断熱材３２の上に配置し、その上に熱融着シート３３、表生地３４を順次配置し、熱プレスによって熱融着シート３３を溶かしつつ圧着して断熱材３２と表生地３４を接着し、線状発熱体３１を断熱材３２と表生地３４の間に固定する構成になっている。また、熱融着シート３３の代わりに接着剤を使って固定する場合もある。
【０００３】
【発明が解決しようとする課題】
しかしながら、上記従来の電気カーペットでは熱効率を重視しており、窓などを閉め切った冬の室内の酸素欠乏に関して配慮することはなく、使用者が座っている部分だけを暖めるような省電力化を目的とするものが多かった（例えば特許文献１参照）。
【０００４】
また、寝具に高濃度酸素発生装置を連動させ、使用者が入眠したことを検知すると高濃度酸素空気の発生を停止するような装置（例えば特許文献２参照）も考えられているが、電気カーペットから高濃度酸素空気を発生させるようなものは今まで無かった。
【０００５】
【特許文献１】
特開平０５−２５６４６６号公報
【０００６】
【特許文献２】
実開平０５−４９５６号公報
【０００７】
【課題を解決するための手段】
本発明の電気カーペットは、表生地の裏側に設けた線状発熱体と、前記表生地と裏生地との間に配置した空気層と、この空気層に高濃度酸素空気を送給して前記表生地の表面から高濃度酸素空気を吐出する高濃度酸素発生装置と、高濃度酸素空気の供給系内の空気圧又は空気の吐出量を検知する検知手段とを具備し、前記検知手段の検知結果にもとづき表生地上の人の存在・不在を判断し、線状発熱体への通電を制御するようにしたものである。
【０００８】
本発明の電気カーぺットによれば、その表面から高濃度酸素の空気が吐出されているため、人がいる周辺は常に新鮮な空気に満たされるという効果があり、とりわけ、冬季には暖房の熱を逃がさないために室内を締め切りがちになり、新鮮な空気が欠乏してくることで、仕事や勉強をする必要があっても眠気を誘ってしまうことが多かったが、眠気が起こらず、集中力を増すことが出来る。
【０００９】
【発明の実施の形態】
本発明の電気カーペットは、表生地の裏側に設けた線状発熱体と、前記表生地と裏生地との間に配置した空気層と、この空気層に高濃度酸素空気を送給して前記表生地の表面から高濃度酸素空気を吐出する高濃度酸素発生装置と、高濃度酸素空気の供給系内の空気圧又は空気の吐出量を検知する検知手段とを具備し、前記検知手段の検知結果にもとづき表生地上の人の存在・不在を判断し、線状発熱体への通電を制御するようにしたものである。
【００１０】
したがって、その表面から高濃度酸素の空気が吐出されているため、人がいる周辺は常に新鮮な空気に満たされるという効果があり、とりわけ、冬季には暖房の熱を逃がさないために室内を締め切りがちになり、新鮮な空気が欠乏してくることで、仕事や勉強をする必要があっても眠気を誘ってしまうことが多かったが、眠気が起こらず、集中力を増すことが出来る。
【００１１】
又、人の存在・不在を判断して線状発熱体への通電を制御することで、人がいるときだけ線状発熱体への電力供給ができるものである。
【００１２】
【実施例】
以下、本発明の実施例を図面に基づいて説明する。
【００１３】
（実施例１）
図１は本発明の実施例１における電気カーペットの平面図である。図１において、１は本発明の電気カーペット本体、２はこの電気カーペットの温度を制御する温度コントローラ、３は電源コードである。
【００１４】
７は温度センサ機能も兼ね備えた線状発熱体である。コントローラ２は線状発熱体７のインピーダンス変化から温度を検知し通電を制御し、ほぼ所望の一定温度に保つように働く。
【００１５】
８は高濃度酸素発生装置であり高濃度酸素空気を、送風管９を介して電気カーペット１の中に送り込むものである。
【００１６】
次に図２は、内部に空気層を取り入れた電気カーペットの断面構成を示す模式図である。図２において、４は電気カーペット１の表生地であり、通気性に優れた厚手の織物で出来ている。５は電気カーペット１の裏生地である。
【００１７】
６は表生地４と裏生地５の間に設けられている空気層であり、常に膨らみを持たせるようにスポンジ状の材質で構成されている。
【００１８】
この空気層６に高濃度酸素発生装置８において発生した高濃度酸素空気が送風管９を介して送り込まれる。
【００１９】
なお、７ａは線状発熱体７の中の芯線、７ｂは線状発熱体７の絶縁被膜である。
【００２０】
さらに、図３は高濃度酸素発生装置の外観を模式的に示した斜視図である。図３におい
て、１０は高濃度酸素空気を作るために室内の空気を吸い込むための吸気口である。１１は高濃度酸素発生装置が高濃度酸素空気を発生するにあたり酸素濃度が薄くなった残りの空気を排気する排気口である。
【００２１】
次に動作について説明する。高濃度酸素発生装置８が動作を始めると吸気口より室内の空気を吸い込み、高濃度酸素発生装置８の内部で高濃度酸素空気と低濃度酸素空気とに分離し、高濃度酸素空気を送風管９から、低濃度酸素空気を排気口１１から出す。この詳しい動作を図４を用いて説明する。
【００２２】
図４において１４は高濃度酸素発生装置８の中に配置されている酸素富化膜である。この膜は厚さが約０．１ミクロンほどの薄いシリコン製の膜であり、図４に示す膜の下側に配置した真空ポンプ１５で酸素富化膜１４の下側を減圧すると、図３の吸気口１０（図４において上側）から取り入れられた空気１７の分子は酸素富化膜１４の中で溶解・拡散する。通常空気で約７８％の濃度の窒素より酸素の方が酸素富化膜１４を透過するスピードが速いため、酸素富化膜１４から離脱するときに生成される空気１８は酸素富化膜１４を通過する前の空気分子構成より酸素の方が多くなり、結果として酸素濃度が高い空気が作られる。
【００２３】
酸素富化膜を通らなかった空気（図４における矢印１９）は図３の排気口１１から排気される。
【００２４】
図１において、高酸素濃度空気は高濃度酸素発生装置８から送風管９を通じて電気カーペット１の中の空気層６に送りこまれる。高酸素濃度空気は電気カーペット１の空気層６に溜まるが圧力が高くなってくると表生地４は通気性があるため、この表生地の表面から吐出される。
【００２５】
これにより電気カーペット１の表全面から高酸素濃度空気が出されることになる。このため、冬季には暖房の熱を逃がさないように室内を締め切ることが多く、新鮮な空気が欠乏してくることで仕事や勉強をする必要があっても眠気を誘ってしまうことが多かったが、本実施例の電気カーぺットによればカーペットの表面から高濃度酸素の空気が吐出されているため人がいる周辺は常に新鮮な空気に満たされる状態になり、眠気が起こらず、集中力を増すことが出来る。
【００２６】
また、本実施例では電気カーペット１の外部から高濃度酸素空気を送風管９を介して送り込んでいるが、電気カーペット１の表生地４の内面に酸素富化膜を貼り付ければ電気カーペット１の外部からは通常の空気を送り込むだけで良い。
【００２７】
また、高濃度酸素発生装置８にて高濃度酸素空気また空気の吐出量を検知し、この吐出量が一定になるように制御すれば電気カーペットに人が乗って空気層６内の高濃度酸素空気が流れにくくなっても、高濃度酸素発生装置８にて高濃度酸素空気の吐出量を上げようと送出圧力を高めるため、高濃度酸素空気が電気カーペットの表面から出る量を一定にすることができる。
【００２８】
また、高濃度酸素発生装置８の排気口１１からは酸素濃度が低くなった空気が排出されるが、この排気口１１からの排気が直接部屋に出されないよう、排気ようの送風管を用い部屋の外に排気するようにすれば部屋の中に高濃度酸素空気をさらに効率よく供給できるようになる。
【００２９】
（実施例２）
次に本発明の実施例２を説明する。図５は本発明の実施例２における電気カーペットの構成を示す平面図である。
【００３０】
図５において、２０は高濃度酸素空気を運ぶチューブであり、線状発熱体７とほぼ平行に配設されている。
【００３１】
図６は本実施例の電気カーペットの断面図である。高濃度酸素空気を運ぶチューブ２０は線状発熱体７と同じように表生地４の内側に貼り付けられている。
【００３２】
２１は断熱材である。チューブ２０には複数の小さな孔が開いており高濃度酸素空気がこの孔からチューブ２０の外へ漏れるようになっている。
【００３３】
チューブ２０から漏れた高濃度酸素空気は表生地４の繊維の隙間を抜け電気カーペット１の表全面から部屋内に出されることになる。
【００３４】
また、本実施例では電気カーペット１の外部から高濃度酸素空気を、送風管９を介して送り込んでいるが、チューブ２０の外面又は内面に酸素富化膜を貼り付ければ電気カーペット１の外部からは通常の空気を送り込むだけで良い。
【００３５】
また、高濃度酸素発生装置８にて高濃度酸素空気また空気の吐出量を検知し、この吐出量が一定になるように制御すれば電気カーペットに人が乗ってチューブ２０内の高濃度酸素空気が流れにくくなっても、高濃度酸素発生装置８にて高濃度酸素空気の吐出量を上げようと送出圧力を高めるため、高濃度酸素空気が電気カーペットの表面から出る量を一定にすることができる。
【００３６】
また、高濃度酸素発生装置８にて高濃度酸素空気また空気の流量の変化又は吐出時の圧力の変化を検知することで電気カーペット上の人の在・不在を判別でき、人の在・不在に応じて線状発熱体７への通電量を制御すれば電気の使用量を節約することができる。
【００３７】
【発明の効果】
以上のように本発明の電気カーペットによれば、高濃度酸素発生装置から供給される高濃度酸素空気を表生地から吐出することができ、したがって、人がいるカーペット上は常に新鮮な空気に満たされることとなり、特に、冬季には暖房の熱を逃がさないために室内を締め切りがちになり、新鮮な空気が欠乏してくることで、仕事や勉強をする必要があっても眠気を誘ってしまうことが多かったが、眠気が起こらず、集中力を増すことが出来る。
【００３８】
さらに、人の在・不在に応じて線状発熱体への通電量を制御しているので、効率的な使用が促進され、省エネルギー面でも有効である。
【図面の簡単な説明】
【図１】  本発明の実施例１における電気カーペットの構成を示す平面図
【図２】  同カーペットの内部構造を示す断面図
【図３】  高濃度酸素発生装置の一例を示す外観斜視図
【図４】  高濃度酸素発生装置の原理を説明する概念図
【図５】  本発明の実施例２における電気カーペットの構成を示す平面図
【図６】  同カーペットの内部構造を示す断面図
【図７】  従来の電気カーペットを示す一部切欠け断面斜視図
【符号の説明】
１  電気カーペット
２  温度コントローラ
３  電源コード
４  表生地
５  裏生地
６  空気層
７  線状発熱体
８  高濃度酸素発生装置
９  送風管
１０  吸気口
１１  排気口
１４  酸素富化膜
２０  チューブ
２１  断熱材
【図１】
0004158589.tif 000002
【図２】
0004158589.tif 000003
【図３】
0004158589.tif 000004
【図４】
0004158589.tif 000005
【図５】
0004158589.tif 000006
【図６】
0004158589.tif 000007
【図７】
0004158589.tif 000008